(57)【要約】【課題】配線作業が簡単で既設のスイッチとの交換にも容易に対応できる電子タイマスイッチを提供する。【解決手段】電子タイマスイッチＳＷ１は、商用電源ＡＣと換気扇Ｆ１の直列回路が接続される接続端子ｔ１，ｔ２と、接続端子ｔ１との間に外部スイッチＳＷ２の接点２１を介して上記直列回路が接続される接続端子ｔ３と、接続端子ｔ１，ｔ２間、及び、接続端子ｔ１，ｔ３間にそれぞれ接続されたトライアックＱ１，Ｑ２と、トライアックＱ１，Ｑ２を開閉させる駆動回路部１１と、外部スイッチＳＷ２の開閉状態を検出する開閉検出回路部１５と、押釦スイッチ１４が押操作されるか、開閉検出回路部１５により外部スイッチＳＷ２の開閉状態の反転動作が検出されると、各トライアックＱ１，Ｑ２の開閉状態を反転させる駆動信号を駆動回路部１１に出力する制御回路部１３とを備える。【選択図】図１
2006304223.tif 000002
【特許請求の範囲】
【請求項１】
電源と負荷との直列回路が接続される第１及び第２の接続端子と、前記第１の接続端子との間に他所に設置される外部スイッチを介して前記直列回路が接続される第３の接続端子と、第１の接続端子と第２の接続端子の間、及び、第１の接続端子と第３の接続端子の間にそれぞれ接続されて負荷への電源供給を入切する第１及び第２の開閉制御素子と、駆動信号に応じて前記各開閉制御素子を開閉させる駆動回路部と、第１及び第３の接続端子の間に印加される電圧又は第１及び第３の接続端子に流れる電流の何れかに基づいて前記外部スイッチの開閉状態を検出する開閉検出回路部と、前記負荷の入切操作を行うための入切操作部と、前記入切操作部が操作されるか、又は、前記開閉検出回路部により前記外部スイッチの開閉状態の反転動作が検出されると、各開閉制御素子の開閉状態を反転させる駆動信号を駆動回路部に出力するとともに、負荷の動作時において前記入切操作部が操作されると、所定の動作保持時間が経過するまでの間は、各開閉制御素子を閉状態に切り替える駆動信号を駆動回路部に出力し、且つ、前記動作保持時間が経過した時点で各開閉制御素子を開状態に切り替える駆動信号を駆動回路部に出力する制御回路部とを備えて成ることを特徴とする電子タイマスイッチ。
【請求項２】
前記制御回路部によって点灯状態が制御される動作表示灯を外部より目視可能な状態で設け、前記制御回路部は、前記負荷の停止時に前記入切操作部が操作されると、前記各開閉制御素子を閉状態に切り替える駆動信号を前記駆動回路部に出力するとともに、動作表示灯を連続点灯させ、且つ、負荷の動作時に入切操作部が操作されると、所定の動作保持時間が経過するまでの間、各開閉制御素子を閉状態に切り替える駆動信号を駆動回路部に出力するとともに、動作表示灯を点滅させ、前記動作保持時間が経過した時点で各開閉制御素子を開状態に切り替える駆動信号を駆動回路部に出力するとともに、動作表示灯を消灯させることを特徴とする請求項１記載の電子タイマスイッチ。
【請求項３】
前記駆動回路部に、第１の開閉制御素子を閉動作させるタイミングに比べて、第２の開閉制御素子を閉動作させるタイミングを遅らせる遅延手段を設けたことを特徴とする請求項１又は２記載の電子タイマスイッチ。
【請求項４】
前記制御回路部は、負荷の動作時において前記外部スイッチの開閉状態が反転するのを前記開閉検出回路部が検出すると、所定の遅延時間が経過するまでの間、前記第１及び第２の開閉制御素子を閉状態に切り替える駆動信号を駆動回路部に出力するとともに、前記遅延時間が経過した時点で前記第１及び第２の開閉制御素子を開状態に切り替える駆動信号を駆動回路部に出力することを特徴とする請求項１乃至３の何れか１つに記載の電子タイマスイッチ。
【請求項５】
前記制御回路部によって点灯状態が制御される動作表示灯を外部より目視可能な状態で設けるとともに、他の負荷のオン／オフ状態を検出する負荷検出回路部を設け、前記制御回路部は、前記負荷検出回路部が他の負荷のオン状態を検出すると、前記第１及び第２の開閉制御素子を閉状態に切り替える駆動信号を駆動回路部に出力するとともに、前記動作表示灯を連続点灯させ、且つ、前記負荷検出回路部が他の負荷のオフ状態を検出すると、所定の動作保持時間が経過するまでの間、前記第１及び第２の開閉制御素子を閉状態に切り替える駆動信号を駆動回路部に出力するとともに、前記動作表示灯を点滅させ、前記動作保持時間が経過した時点で前記第１及び第２の開閉制御素子を開状態に切り替える駆動信号を駆動回路部に出力するとともに、前記動作表示灯を消灯させることを特徴とする請求項１乃至４の何れか１つに記載の電子タイマスイッチ。
【請求項６】
他の負荷のオン／オフ状態を検出する負荷検出回路部を設け、前記制御回路部は、他の負荷がオン状態からオフ状態に切り替わるのを前記負荷検出回路部が検出すると、所定の動作保持時間が経過するまでの間、前記第１及び第２の開閉制御素子を閉状態に切り替える駆動信号を駆動回路部に出力するとともに、前記動作保持時間が経過した時点で前記第１及び第２の開閉制御素子を開状態に切り替える駆動信号を駆動回路部に出力することを特徴とする請求項１乃至４の何れか１つに記載の電子タイマスイッチ。
【請求項７】
制御回路部の制御モードを、前記負荷検出回路部の検出結果に関係無く、前記入切操作部からの操作入力と前記開閉検出回路部の検出結果とに基づいて負荷を制御する非連動モード、又は、負荷検出回路部の検出結果と入切操作部からの操作入力と開閉検出回路部の検出結果とに基づいて負荷を制御する連動モードの何れかに選択的に切り替えるモード切替手段を設けたことを特徴とする請求項５又は６記載の電子タイマスイッチ。
【発明の詳細な説明】
【技術分野】
【０００１】
本発明は、負荷の入切操作を行うためのスイッチを多箇所に設置する場合に用いる電子タイマスイッチに関するものである。
【背景技術】
【０００２】
従来より、図１０（ａ）に示すようにトイレと洗面所、又は浴室とトイレ、或いは浴室と洗面所というように複数の部屋Ａ１，Ａ２に換気扇Ｆ１の吸気口Ｓ１，Ｓ２を設け、１台の換気扇Ｆ１で複数の部屋Ａ１，Ａ２の換気を行っていた。各部屋Ａ１，Ａ２には単極双投型のスイッチＳＷ１１，ＳＷ１２が設けられ、両スイッチＳＷ１１，ＳＷ１２の切替端子の間を電気的に接続するとともに、換気扇Ｆ１の電源端子間にスイッチＳＷ１１，ＳＷ１２を介して電源ＡＣを接続することで、ＳＷ１１又はＳＷ１２を用いて何れの部屋でも換気扇Ｆ１の入切操作が行えるようにしてある。
【０００３】
ここで、浴室の換気を行う場合には、浴室内の湿気を強制排気するために数十分から数時間の間、換気扇を動作させるのが一般的であり、入操作後に切操作をし忘れるのを防止するため、スイッチＳＷ１１又はＳＷ１２の何れかに遅延停止機能（オフ操作が行われてから所定の動作保持時間が経過するまで負荷のオン状態を延長する機能）を有するタイマスイッチを用いる必要があった。また浴室とトイレの換気を行う場合、浴室の換気は遅延停止動作の時間が数十分から数時間と比較的長時間であるのに対し、トイレの換気では遅延停止動作の時間が数十秒から数分間と短時間であるので、浴室のスイッチが操作された場合とトイレのスイッチが操作された場合とで遅延停止動作の時間を切り替えることができるように、一方のスイッチには、一定周期で発振するパルスの数をカウンタＩＣでカウントすることによってタイマ時間を限時する電子タイマスイッチを用いてある。
【０００４】
図１０（ｂ）は電子タイマスイッチＳＷ１と単極単投型のスイッチＳＷ２とを用いて２箇所から換気扇Ｆ１の入切操作を行えるようにした回路を示し、電子タイマスイッチＳＷ１は、換気扇Ｆ１と商用電源ＡＣとの直列回路が接続される接続端子ｔ１，ｔ２と、スイッチＳＷ２と商用電源ＡＣとの直列回路が接続される接続端子ｔ３，ｔ４とを備える。
【０００５】
また電子タイマスイッチＳＷ１は、駆動回路部３１と、電源回路部３２と、制御回路部３３とを主要な構成として備える。
【０００６】
駆動回路部３１は、制御回路部３３からの駆動信号に応じて、接続端子ｔ１，ｔ２間に接続されたトライアックＱ１を開閉するものであり、サイリスタＱ３と、ツェナーダイオードＺＤ１と、トランジスタＱ４およびダイオードＤ１からなるスイッチ回路３１ａとで構成される。
【０００７】
電源回路部３２は、接続端子ｔ１，ｔ２から電力の供給を受けて所定の直流電力を出力するものであり、全波整流器ＤＢ１と、抵抗Ｒ１と、充電回路部３２ａとで構成される。
【０００８】
そして、駆動回路部３１および電源回路部３２において、スイッチ回路３１ａのトランジスタＱ４がオフのとき、抵抗Ｒ１およびツェナーダイオードＺＤ１は、これらの直列回路に印加される全波整流器ＤＢ１からの電圧ではツェナーダイオードＺＤ１が導通しないような値に設定されている。他方、スイッチ回路３１ａのトランジスタＱ４がオンになると、トランジスタＱ４、ダイオードＤ１およびツェナーダイオードＺＤ１の直列回路に印加される全波整流器ＤＢ１からの電圧によって、ツェナーダイオードＺＤ１の両端にそのツェナー電圧以上の電圧が印加すれば、ツェナーダイオードＺＤ１はオンになる。これにより、サイリスタＱ３がオンとなり、トライアックＱ１が交流電源ＡＣの各極性中においてオンになる。
【０００９】
制御回路部３３は、電子タイマスイッチＳＷ１に設けた押釦スイッチ３４からの操作入力を監視する。また端子ｔ３，ｔ４間には、端子ｔ３，ｔ４間に印加される電圧と所定のしきい値との高低を比較することでスイッチＳＷ２の開閉状態を検出する開閉検出回路部３５が設けられており、開閉状態の検出結果を制御回路部３３に出力する。而して制御回路部３３では、押釦スイッチ３４からの操作入力があるか、若しくは開閉検出回路部３５がスイッチＳＷ２のオン／オフの反転動作を検出すると、駆動回路部３１によりトライアックＱ１を反転駆動する。なお電子タイマスイッチＳＷ１が浴室に、スイッチＳＷ２がトイレにそれぞれ設置されている場合、制御回路部３３は、押釦スイッチ３４からのオン操作があると駆動信号を数十分から数時間出力して換気扇Ｆ１を比較的長時間動作させるとともに、スイッチＳＷ２のオン操作を開閉検出回路部３５が検出すると駆動信号を数十秒から数分間出力して換気扇Ｆ１を比較的短い時間だけ動作させる。
【００１０】
ここで、駆動回路部３１のスイッチ回路３１ａに駆動信号が入力されていない場合、スイッチ回路３１ａのトランジスタＱ４がオフになり、ツェナーダイオードＺＤ１およびサイリスタＱ３もオフになるので、トライアックＱ１もオフになる。このオフ状態では、電源回路部３２の充電回路部３２ａに、端子ｔ１，ｔ２から全波整流器ＤＢ１および抵抗Ｒ１を介して電荷が供給され、所定の直流電圧まで充電される。
【００１１】
一方、駆動回路部３１のスイッチ回路３１ａに制御信号が入力された場合、スイッチ回路３１ａのトランジスタＱ４がオンになり、ツェナーダイオードＺＤ１、サイリスタＱ３およびトライアックＱ１が交流電圧の各極性中においてオンになって、負荷駆動状態となる。この負荷駆動状態では、電源回路部３２の備える充電回路部３２ａは、ツェナーダイオードＺＤ１がオフの間、接続端子ｔ１，ｔ２から全波整流器ＤＢ１、トランジスタＱ４及びダイオードＤ１を介して電荷が供給され、所定の直流電圧に充電される。つまり、全波整流器ＤＢ１から充電回路部３２ａに電力が間欠的に供給されるのである。
【００１２】
また、この種の電子タイマスイッチとしては、１つのスイッチで照明負荷と換気扇負荷の両方の入切制御を行うものもあり、入操作時は照明負荷と換気扇負荷を同時に動作させ、切操作時は照明負荷を即座に消灯させるとともに、所定の動作保持時間が経過した後に換気扇負荷を停止させるものが従来より提供されていた（例えば特許文献１参照）。
【特許文献１】特許第３１７５９６８号公報
【発明の開示】
【発明が解決しようとする課題】
【００１３】
上述した図１０（ｂ）に示す電子タイマスイッチＳＷ１では、タイマ機能を備えていないスイッチＳＷ２がオフされた場合でも電源供給が可能なように、接続端子ｔ１，ｔ２間に換気扇Ｆ１と商用電源ＡＣとを直列に接続して、スイッチＳＷ２のオン／オフに関わらず端子ｔ１，ｔ２から電源を供給させるとともに、接続端子ｔ３，ｔ４間にスイッチＳＷ２と商用電源ＡＣとを接続し、開閉検出回路部３５でスイッチＳＷ２のオン／オフを検出することによって、スイッチＳＷ２のオン／オフ操作に応じてトライアックＱ１を開閉させている。そのためスイッチＳＷ１，ＳＷ２の結線方式が、図１０（ａ）に示すような３路配線方式と大きく異なっている。したがって３路配線された既設のスイッチＳＷ１１，ＳＷ１２の内の何れか一方にタイマ機能を持たせるため、一方のスイッチを電子タイマスイッチＳＷ１に交換しようとすると、配線を大幅に変更しなければならず、配線の変更なしに電子タイマスイッチＳＷ１に置き換えることができなかった。また３路配線方式の場合の結線に比べて、電子タイマスイッチＳＷ１の結線作業は複雑なので、配線ミスを招く可能性もあった。
【００１４】
本発明は上記問題点に鑑みて為されたものであり、その目的とするところは、配線作業が簡単で既設のスイッチとの交換にも容易に対応できる電子タイマスイッチを提供することにある。
【課題を解決するための手段】
【００１５】
上記目的を達成するために、請求項１の発明は、電源と負荷との直列回路が接続される第１及び第２の接続端子と、第１の接続端子との間に他所に設置される外部スイッチを介して直列回路が接続される第３の接続端子と、第１の接続端子と第２の接続端子の間、及び、第１の接続端子と第３の接続端子の間にそれぞれ接続されて負荷への電源供給を入切する第１及び第２の開閉制御素子と、駆動信号に応じて各開閉制御素子を開閉させる駆動回路部と、第１及び第３の接続端子の間に印加される電圧又は第１及び第３の接続端子に流れる電流の何れかに基づいて外部スイッチの開閉状態を検出する開閉検出回路部と、負荷の入切操作を行うための入切操作部と、入切操作部が操作されるか、又は、開閉検出回路部により外部スイッチの開閉状態の反転動作が検出されると、各開閉制御素子の開閉状態を反転させる駆動信号を駆動回路部に出力するとともに、負荷の動作時において入切操作部が操作されると、所定の動作保持時間が経過するまでの間は、各開閉制御素子を閉状態に切り替える駆動信号を駆動回路部に出力し、且つ、動作保持時間が経過した時点で各開閉制御素子を開状態に切り替える駆動信号を駆動回路部に出力する制御回路部とを備えて成ることを特徴とする。
【００１６】
この発明によれば、入切操作部が操作されるか、又は、開閉検出回路部により外部スイッチの開閉状態の反転動作が検出されると、制御回路部が、各制御素子の開閉状態を反転させる駆動信号を駆動回路部に出力しているので、入切操作部および外部スイッチを用いて負荷のオン／オフを制御することができ、且つ、負荷の動作時に入切操作部を操作すると、所定の動作保持時間が経過した後に第１及び第２の開閉制御素子を開状態に切り替えることで負荷を停止させているので、遅延停止動作を行わせることができる。しかも、第１の接続端子と第２の接続端子の間に電源と負荷との直列回路が接続されるとともに、第１の接続端子と第３の接続端子の間に外部スイッチを介して上記の直列回路が接続されるので、単極双投形のスイッチを用いて構成される従来の３路配線方式と同様の配線方式で電子タイマスイッチを接続できるから、遅延停止機能を有していないメカニカルのスイッチに替えて電子タイマスイッチを容易に配線できるという効果がある。
【００１７】
請求項２の発明によれば、請求項１の発明において、制御回路部によって点灯状態が制御される動作表示灯を外部より目視可能な状態で設け、制御回路部は、負荷の停止時に入切操作部が操作されると、各開閉制御素子を閉状態に切り替える駆動信号を駆動回路部に出力するとともに、動作表示灯を連続点灯させ、且つ、負荷の動作時に入切操作部が操作されると、所定の動作保持時間が経過するまでの間、各開閉制御素子を閉状態に切り替える駆動信号を駆動回路部に出力するとともに、動作表示灯を点滅させ、動作保持時間が経過した時点で各開閉制御素子を開状態に切り替える駆動信号を駆動回路部に出力するとともに、動作表示灯を消灯させることを特徴とする。
【００１８】
この発明によれば、動作表示灯の点灯状態から負荷の動作状態を容易に判別できるという効果がある。
【００１９】
請求項３の発明によれば、請求項１又は２の発明において、駆動回路部に、第１の開閉制御素子を閉動作させるタイミングに比べて、第２の開閉制御素子を閉動作させるタイミングを遅らせる遅延手段を設けたことを特徴とする。
【００２０】
この発明によれば、接点と動作表示用の表示ランプとの直列回路を備える外部スイッチを複数使用する場合に、各々の外部スイッチが備える接点の一端側を第３の接続端子に接続するとともに、第１及び第２の接続端子の間に電源と負荷との直列回路を介して複数の外部スイッチが備える表示ランプを直列接続した場合、遅延手段によって、駆動回路部が第１の開閉制御素子を閉動作させるタイミングに比べて、第２の開閉制御素子を閉動作させるタイミングを遅らせているので、第１の開閉制御素子が優先的に閉状態に切り替えられるから、外部スイッチが複数接続されている場合でも、第１の接続端子と第２の接続端子との間に直列接続された全ての外部スイッチの表示ランプを点灯させることができる。
【００２１】
請求項４の発明によれば、請求項１乃至３の何れか１つの発明において、制御回路部は、負荷の動作時において外部スイッチの開閉状態が反転するのを開閉検出回路部が検出すると、所定の遅延時間が経過するまでの間、第１及び第２の開閉制御素子を閉状態に切り替える駆動信号を駆動回路部に出力するとともに、遅延時間が経過した時点で第１及び第２の開閉制御素子を開状態に切り替える駆動信号を駆動回路部に出力することを特徴とする。
【００２２】
この発明によれば、負荷の動作時において外部スイッチの開閉状態が反転するのを開閉検出回路部が検出すると、制御回路部は、所定の遅延時間が経過した後に開閉制御素子を開状態に切り替えているので、外部スイッチのオフ操作に応じて遅延停止動作を行わせることもでき、使い勝手が向上するという効果がある。
【００２３】
請求項５の発明によれば、請求項１乃至４の何れか１つの発明において、制御回路部によって点灯状態が制御される動作表示灯を外部より目視可能な状態で設けるとともに、他の負荷のオン／オフ状態を検出する負荷検出回路部を設け、制御回路部は、負荷検出回路部が他の負荷のオン状態を検出すると、第１及び第２の開閉制御素子を閉状態に切り替える駆動信号を駆動回路部に出力するとともに、動作表示灯を連続点灯させ、且つ、負荷検出回路部が他の負荷のオフ状態を検出すると、所定の動作保持時間が経過するまでの間、第１及び第２の開閉制御素子を閉状態に切り替える駆動信号を駆動回路部に出力するとともに、動作表示灯を点滅させ、動作保持時間が経過した時点で第１及び第２の開閉制御素子を開状態に切り替える駆動信号を駆動回路部に出力するとともに、動作表示灯を消灯させることを特徴とする。
【００２４】
この発明によれば、負荷検出回路部により他の負荷のオン／オフ状態を検出しており、制御回路部が、負荷検出回路部の検出結果に応じて、他の負荷のオン時に各開閉制御素子を閉状態に切り替えるとともに、他の負荷がオン状態からオフ状態に切り替わると、動作保持時間が経過した時点で各開閉制御素子を閉状態から開状態に切り替えているので、他の負荷に連動して負荷を動作させることができる。
【００２５】
請求項６の発明によれば、請求項１乃至４の何れか１つの発明において、他の負荷のオン／オフ状態を検出する負荷検出回路部を設け、制御回路部は、他の負荷がオン状態からオフ状態に切り替わるのを負荷検出回路部が検出すると、所定の動作保持時間が経過するまでの間、第１及び第２の開閉制御素子を閉状態に切り替える駆動信号を駆動回路部に出力するとともに、動作保持時間が経過した時点で第１及び第２の開閉制御素子を開状態に切り替える駆動信号を駆動回路部に出力することを特徴とする。
【００２６】
この発明によれば、負荷検出回路部により他の負荷のオン／オフ状態を検出するとともに、制御回路部が、負荷検出回路部の検出結果に応じて、他の負荷がオン状態からオフ状態に切り替わると各開閉制御素子を閉状態に切り替えるとともに、動作保持時間が経過した時点で各開閉制御素子を閉状態から開状態に切り替えているので、他の負荷に連動して負荷を動作させることができる。
【００２７】
請求項７の発明によれば、請求項５又は６の発明において、制御回路部の制御モードを、負荷検出回路部の検出結果に関係無く、入切操作部からの操作入力と開閉検出回路部の検出結果とに基づいて負荷を制御する非連動モード、又は、負荷検出回路部の検出結果と入切操作部からの操作入力と開閉検出回路部の検出結果とに基づいて負荷を制御する連動モードの何れかに選択的に切り替えるモード切替手段を設けたことを特徴とする。
【００２８】
この発明によれば、モード切替手段を用いて制御回路部の動作モードを非連動モード又は連動モードの何れかに切り替えることができるので、使用用途や使用環境に応じて使い勝手の良い制御モードで動作させることができる。
【発明の効果】
【００２９】
本発明によれば、入切操作部が操作されるか、又は、開閉検出回路部により外部スイッチの開閉状態の反転動作が検出されると、制御回路部が、各制御素子の開閉状態を反転させる駆動信号を駆動回路部に出力しているので、入切操作部および外部スイッチを用いて負荷のオン／オフを制御することができ、且つ、負荷の動作時に入切操作部を操作すると、所定の動作保持時間が経過した後に第１及び第２の開閉制御素子を開状態に切り替えることで負荷を停止させているので、遅延停止動作を行わせることができる。しかも、第１の接続端子と第２の接続端子の間に電源と負荷との直列回路が接続されるとともに、第１の接続端子と第３の接続端子の間に外部スイッチを介して上記の直列回路が接続されるので、単極双投形のスイッチを用いて構成される従来の３路配線方式と同様の配線方式で電子タイマスイッチを接続できるから、遅延停止機能を有していないメカニカルのスイッチに替えて電子タイマスイッチを容易に配線できるという効果がある。
【発明を実施するための最良の形態】
【００３０】
以下に本発明の実施の形態を図面に基づいて説明する。
【００３１】
（実施形態１）
本発明の実施形態１を図１〜図４に基づいて説明する。本実施形態では本発明に係る電子タイマスイッチを用いて２箇所から換気扇の入切制御を行う制御システムを構成しており、図にその回路図を示す。
【００３２】
この制御システムは商用電源ＡＣと換気扇Ｆ１と電子タイマスイッチＳＷ１と外部スイッチＳＷ２とで構成される。換気扇Ｆ１の吸気口は例えば浴室とトイレの２箇所に設けられ、１台の換気扇Ｆ１で２つの部屋の換気を行えるようになっており、電子タイマスイッチＳＷ１を浴室、外部スイッチＳＷ２をトイレにそれぞれ設置して、浴室とトイレの２箇所で換気扇Ｆ１のオン／オフ操作を行えるようにしている。尚、外部スイッチＳＷ２を複数台接続して多箇所から換気扇の入切操作を行うことも可能である。
【００３３】
外部スイッチＳＷ２は３つの接続端子ｔ１１〜ｔ１３を備え、接続端子ｔ１１，ｔ１２間に表示灯点灯部２０が接続されるとともに、接続端子ｔ１１，ｔ１３間に単極単投形の接点２１を介して表示灯点灯部２０が接続される。表示灯点灯部２０は例えばネオンランプのような動作表示灯（図示せず）を有し、通電に応じて動作表示灯が点灯するようになっている。なお外部スイッチＳＷ２の接点２１は図示しない操作部の操作に応じてオン／オフが反転するようになっている。
【００３４】
一方、電子タイマスイッチＳＷ１は、換気扇Ｆ１と商用電源ＡＣとの直列回路が接続される第１及び第２の接続端子（以下接続端子と略称す）ｔ１，ｔ２と、接続端子ｔ１との間に外部スイッチＳＷ２の接点２１を介して換気扇Ｆ１および商用電源ＡＣの直列回路が接続される第３の接続端子（以下接続端子と略称す）ｔ３とを備えるとともに、第１及び第２の開閉制御素子たるトライアックＱ１，Ｑ２と、駆動回路部１１と、電源回路部１２と、制御回路部１３と、入切操作部たる押釦スイッチ１４と、開閉検出回路部１５とを主要な構成として備える。
【００３５】
トライアックＱ１，Ｑ２は、それぞれ、接続端子ｔ１，ｔ２の間、接続端子ｔ１，ｔ３の間に接続されて、接続端子ｔ１，ｔ２間、接続端子ｔ１，ｔ３間を開閉する。
【００３６】
電源回路部１２は、接続端子ｔ１，ｔ２、或いは、接続端子ｔ１，ｔ３から電力の供給を受けて所定の直流電力を出力するものであり、接続端子ｔ２とトライアックＱ１のゲートとの間に交流入力端子が接続された全波整流器ＤＢ１と、接続端子ｔ３とトライアックＱ２のゲートとの間に交流入力端子が接続された全波整流器ＤＢ２と、全波整流器ＤＢ１，ＤＢ２の高圧側の直流出力端に一端が接続された抵抗Ｒ１と、全波整流器ＤＢ１，ＤＢ２から抵抗Ｒ１を介して供給される電荷により充電される充電回路部１２ａとで構成される。
【００３７】
駆動回路部１１は、制御回路部３３からの制御信号に応じてトライアックＱ１，Ｑ２を開閉駆動するものであり、全波整流器ＤＢ１，ＤＢ２の直流出力端子間に接続されたサイリスタＱ３と、トランジスタＱ４及びダイオードＤ１の直列回路からなり、抵抗Ｒ１の両端間に接続されたスイッチ回路１１ａと、抵抗Ｒ１の他端にカソードが接続されるとともに、サイリスタＱ３のゲートにアノードが接続されたツェナーダイオードＺＤ１とで構成される。
【００３８】
そして、駆動回路部１１および電源回路部１２において、スイッチ回路１１ａのトランジスタＱ４がオフのとき、抵抗Ｒ１を介して充電回路部１２ａに電荷が供給されて所定の直流電圧に充電され、充電回路部１２ａから制御回路部１３などに動作電源が供給されるのであるが、この場合にツェナーダイオードＺＤ１に印加される電圧がツェナー電圧を超えないように、抵抗Ｒ１およびツェナーダイオードＺＤ１の定数が設定されている。他方、スイッチ回路１１ａのトランジスタＱ４がオンになると、トランジスタＱ４、ダイオードＤ１およびツェナーダイオードＺＤ１の直列回路に印加される全波整流器ＤＢ１，ＤＢ２からの電圧によって、ツェナーダイオードＺＤ１の両端にそのツェナー電圧以上の電圧が印加され、ツェナーダイオードＺＤ１が導通する。これにより、サイリスタＱ３がオンになり、トライアックＱ１が交流電源ＡＣの各極性中においてオンになる。またこのとき外部スイッチＳＷ２の接点２１が閉極していれば、トライアックＱ２も交流電源ＡＣの各極性中においてオンになる。
【００３９】
開閉検出回路部１５は、端子ｔ１，ｔ３間に印加される電圧と所定のしきい値との高低を比較することで外部スイッチＳＷ２の開閉状態を検出するものであり、検出結果を制御回路部１３に出力する。なお開閉検出回路部１５では、端子ｔ１，ｔ３間に流れる電流の有無を検出することによって、外部スイッチＳＷ２の開閉状態を検出するようにしても良い。
【００４０】
制御回路部１３は、電子タイマスイッチＳＷ１に設けた押釦スイッチ１４からの操作入力を監視するとともに、開閉検出回路部１５から外部スイッチＳＷ２の開閉状態の検出結果が入力されており、押釦スイッチ１４からの操作入力と開閉検出回路部１５の検出結果とに基づいてトライアックＱ１，Ｑ２のオン／オフを制御するとともに、動作表示用の発光ダイオードＬＤに流れる励磁電流を制御して、発光ダイオードＬＤの点灯状態を制御する。なお図１中のＲ２は限流用の抵抗である。
【００４１】
ここで、制御回路部１３では、押釦スイッチ１４からの操作入力があるか、若しくは、開閉検出回路部１５が外部スイッチＳＷ２のオン／オフの反転動作を検出すると、トライアックＱ１，Ｑ２の開閉状態を反転させる駆動信号を駆動回路部１１に出力するとともに、発光ダイオードＬＤに励磁電流を流して発光ダイオードＬＤを点灯させる。
【００４２】
先ず押釦スイッチ１４による入切動作について説明する。換気扇Ｆ１の停止時において押釦スイッチ１４が操作され、制御回路部１３に操作入力が与えられると、制御回路部１３はトランジスタＱ４をオンさせる駆動信号を駆動回路部１１に出力し、サイリスタＱ３をオン、トライアックＱ１，Ｑ２をオンさせて、換気扇Ｆ１を連続動作させるとともに、発光ダイオードＬＤを連続点灯させる。一方換気扇Ｆ１の動作中に押釦スイッチ１４が再度操作され、制御回路部１３に操作入力が与えられると、制御回路部１３は内部タイマ（図示せず）により動作保持時間の限時動作を開始させ、内部タイマがカウントアップするまでの間、トランジスタＱ４をオンさせる駆動信号を駆動回路部１１に出力し、トライアックＱ１，Ｑ２の閉状態を維持して換気扇Ｆ１の運転時間を延長するとともに、発光ダイオードＬＤを所定の周期で点滅させる。その後、内部タイマがカウントアップすると、制御回路部１３はトランジスタＱ４をオフさせる信号を駆動回路部１１に出力し、サイリスタＱ３をオフ、トライアックＱ１，Ｑ２をオフさせて、換気扇Ｆ１を停止させるとともに、発光ダイオードＬＤを消灯させる。なお、図３はこの間の発光ダイオードＬＤの点灯状態を示しており、換気扇Ｆ１が停止している期間（期間Ｔ１１，Ｔ１４）は発光ダイオードＬＤを消灯させ、換気扇Ｆ１を連続動作させている期間（期間Ｔ１２）は発光ダイオードＬＤを連続点灯させ、換気扇Ｆ１をタイマ駆動している期間（期間Ｔ１３）は発光ダイオードＬＤを所定周波数で点滅させているので、発光ダイオードＬＤの点灯状態（全点灯又は点滅）から換気扇Ｆ１が連続動作を行っているのか、遅延停止動作により動作しているのかを容易に判別することができる。
【００４３】
次に外部スイッチＳＷ２による入切動作について図４のタイムチャートを参照して説明する。なお図４（ａ）は外部スイッチＳＷ２のオン／オフ操作、同図（ｃ）は換気扇Ｆ１のオン／オフ動作をそれぞれ示している。換気扇Ｆ１が停止中の時刻ｔ２１において換気扇Ｆ１を動作させるために外部スイッチＳＷ２が操作されると、接点２１のオン／オフが反転する。この時、開閉検出回路部１５によって外部スイッチＳＷ２の開閉状態の反転動作が検出され、制御回路部１３がその検出結果をもとに、トランジスタＱ４をオンさせる駆動信号を駆動回路部１１に出力し、サイリスタＱ３をオン、トライアックＱ１，Ｑ２をオンさせて、換気扇Ｆ１を連続動作させる。一方、換気扇Ｆ１が動作中の時刻ｔ２２において外部スイッチＳＷ２が操作され、開閉検出回路部１５によって外部スイッチＳＷ２の開閉状態の反転動作が検出されると、制御回路部１３は内部タイマ（図示せず）により遅延時間の限時動作を開始させ、内部タイマがカウントアップするまでの間、トランジスタＱ４をオンさせる駆動信号を駆動回路部１１に出力し、トライアックＱ１，Ｑ２の閉状態を維持して換気扇Ｆ１の運転時間を延長する。その後、時刻ｔ２２において内部タイマがカウントアップすると、制御回路部１３はトランジスタＱ４をオフさせる信号を駆動回路部１１に出力し、サイリスタＱ３をオフ、トライアックＱ１，Ｑ２をオフさせて、換気扇Ｆ１を停止させる。
【００４４】
このように、制御回路部１３が押釦スイッチ１４又は外部スイッチＳＷ２のオン／オフ操作に応じて換気扇Ｆ１をオン／オフさせているので、複数の場所から換気扇Ｆ１のオン／オフ操作を行うことができる。また図１０（ａ）に示すように３路配線方式で換気扇Ｆ１を制御した場合は、図４（ｂ）のように外部スイッチＳＷ２のオン／オフに即連動したオン／オフ制御しか行えないが、本実施形態では何れのスイッチでオフ操作を行った場合でも所定の遅延時間だけ換気扇Ｆ１を動作させた後に換気扇Ｆ１を停止させることができ、長時間換気を行った後で換気扇Ｆ１を停止させたい場合でも換気扇Ｆ１を停止し忘れるといった不具合を防止できるから、使い勝手が向上する。
【００４５】
なお、浴室に設置された電子タイマスイッチＳＷ１の押釦スイッチ１４が操作された場合は浴室内の湿気を十分に換気できるように、換気扇Ｆ１の動作保持時間を数十分から数時間の比較的長い時間に設定してある。またトイレに設置された外部スイッチＳＷ２が操作された場合は浴室内の湿気を換気する場合に比べて短時間だけ換気扇Ｆ１を動作させれば良く、この場合の遅延時間は数十秒から数分程度の比較的短い時間に設定してある。このように電子タイマスイッチＳＷ１によりオフ操作を行った場合と、外部スイッチＳＷ２によりオフ操作を行った場合とで換気扇Ｆ１を停止させるまでの時間を異ならせているので、各々のスイッチの設置場所に合わせた時間だけ換気扇Ｆ１を動かした後に停止させることができ、使い勝手がさらに向上する。また制御回路部１３は、内部タイマを用いて一定周期のパルス信号をカウントすることによって上述の動作保持時間や遅延時間を設定しているので、ＣＲタイマを用いる場合に比べて長時間の限時を行う場合でも、タイマ回路が大型化することが無く、また動作保持時間や遅延時間の精度が向上するという利点がある。
【００４６】
ところで、駆動回路部１１のスイッチ回路１１ａに駆動信号が入力されていない場合、スイッチ回路１１ａのトランジスタＱ４がオフになり、ツェナーダイオードＺＤ１およびサイリスタＱ３もオフになるので、トライアックＱ１，Ｑ２もオフになる。このオフ状態では、電源回路部１２の充電回路部１２ａは、端子ｔ１，ｔ２から全波整流器ＤＢ１および抵抗Ｒ１を介して電力の供給を受け、所定の直流電力を制御回路部１３に出力する。なお外部スイッチＳＷ２が導通している場合、充電回路部１２ａには全波整流器ＤＢ１，ＤＢ２の両方から抵抗Ｒ１を介して電力が供給される。
【００４７】
一方、制御回路部１３のスイッチ回路１１ａに制御回路部１３から駆動信号が入力された場合は、スイッチ回路１１ａのトランジスタＱ４がオンになり、ツェナーダイオードＺＤ１、サイリスタＱ３およびトライアックＱ１，Ｑ２が交流電圧の各極性中においてオンになって、負荷駆動状態となる。この負荷駆動状態では、電源回路部１２の充電回路部１２ａは、ツェナーダイオードＺＤ１がオフの間、接続端子ｔ１，ｔ２および接続端子ｔ１，ｔ３から全波整流器ＤＢ１，ＤＢ２、トランジスタＱ４及びダイオードＤ１を介して電力の供給を受け、所定の直流電力を制御回路部１３に出力する。つまり、全波整流器ＤＢ１，ＤＢ２から充電回路部１２ａに電力が間欠的に供給されるのである。
【００４８】
ここで、上述の実施形態では第１及び第２の開閉制御素子としてトライアックＱ１，Ｑ２を用い、トライアックＱ１，Ｑ２のＴ１端子とゲートとの間に全波整流器ＤＢ１，ＤＢ２の交流入力端間を接続している。したがって充電回路部１２ａへの充電電流は、トライアックＱ１，Ｑ２のゲートを介して供給されることになり、換気扇Ｆ１のオン動作時に制御回路部１３などの消費電流が大きくなると、充電回路部１２ａの充電が完了する前にトライアックＱ１，Ｑ２が導通して電源回路部１２への充電が終了してしまい、充電回路部１２ａへの充電が不十分になり、制御回路部１３などの動作電源を十分に確保できなくなる可能性がある。
【００４９】
そこで、充電回路部１２ａへの充電電流がトライアックＱ１，Ｑ２のゲートを流れないよう、図２（ａ）に示すように全波整流器ＤＢ１，ＤＢ２の交流入力端子間をそれぞれトライアックＱ１，Ｑ２のＴ１端子とＴ２端子の間に接続するとともに、充電回路部１２ａの充電電圧を監視し、充電電圧が所定レベルを超えると充電完了信号を出力する電圧検出回路部１２ｂを設け、制御回路部１３では充電完了信号が入力された後にトライアックＱ１，Ｑ２をオンさせるようにしても良く、制御回路部１３などの動作電源を確実に確保することができる。なお抵抗Ｒ１の両端間に抵抗Ｒ３とスイッチ素子Ｑ５との直列回路が接続されており、トライアックＱ１，Ｑ２のオフ時に制御回路部１３がスイッチ素子Ｑ５をオンさせることによって、充電回路部１２ａに供給される電荷を増加させ、急速に充電が行えるようにしている。また図２では図示を簡単にするため、抵抗Ｒ２と発光ダイオードＬＤとの直列回路を表示灯回路部１６として表示してある。
【００５０】
また、上述の実施形態では第１及び第２の開閉制御素子としてトライアックＱ１，Ｑ２を用いているため、制御する負荷によってはスイッチング時の共振電流によって、正常にスイッチングが行えず、発振現象を起こす可能性がある。そこで、図２（ａ）に示す回路において同図（ｂ）に示すようにトライアックＱ１，Ｑ２の代わりにＭＯＳＦＥＴＱ６，Ｑ７を接続するとともに、電源電圧のゼロクロス点を検出して検出信号を制御回路部１３に出力するゼロクロス検出回路部１１ｂを設け、換気扇Ｆ１のオン時には、制御回路部１３が、電圧検出回路部１２ｂからの充電完了信号を受けてＭＯＳＦＥＴＱ６，Ｑ７をオンさせるとともに、ゼロクロス検出回路部１１ｂからの検出信号を受けてＭＯＳＦＥＴＱ６，Ｑ７をオフさせることで、トライアックを用いる場合と同様の動作を行わせることができる。
【００５１】
（実施形態２）
本発明の実施形態２を図５に基づいて説明する。本実施形態では、実施形態１で説明した図１の電子タイマスイッチＳＷ１において、全波整流器ＤＢ２の高圧側の直流出力端にダイオードＤ２のアノードを接続するとともに、全波整流器ＤＢ１の高圧側の直流出力端とサイリスタＱ３との接続点にダイオードＤ２のカソードを接続してある。尚、ダイオードＤ２以外の電子タイマスイッチＳＷ１の構成は図１に示す電子タイマスイッチＳＷ１と同様であるので、同一の構成要素には同一の符号を付して、その説明は省略する。
【００５２】
本実施形態では、全波整流器ＤＢ２の高圧側の直流出力端と、全波整流器ＤＢ１の高圧側の直流出力端およびサイリスタＱ３の接続点との間にダイオードＤ２を接続しているので、トライアックＱ１，Ｑ２をオフ状態からオン状態に導通させる際に、遅延手段たるダイオードＤ２のオン電圧分によって、トライアックＱ２がオンするタイミングを、トライアックＱ１がオンするタイミングよりも遅らせることができ、トライアックＱ１を優先的にオンさせている。
【００５３】
而して、図５に示すように外部スイッチＳＷ２を複数使用する場合に、各々の外部スイッチＳＷ２が備える接点２１の一端側を接続端子ｔ３に接続するとともに、接続端子ｔ１，ｔ２の間に商用電源ＡＣと換気扇Ｆ１との直列回路を介して複数の外部スイッチＳＷ２が備える表示灯点灯部２０を直列に接続した場合、トライアックＱ１，Ｑ２をオフ状態からオン状態に反転させる際に、複数の外部スイッチＳＷ２の表示灯点灯部２０が両端間に接続されたトライアックＱ１が優先的にオンされるから、接続端子ｔ１，ｔ２間に直列接続された全ての外部スイッチＳＷ２の表示灯点灯部２０を点灯させることができ、全ての外部スイッチＳＷ２で換気扇Ｆ１の動作状態を視覚的に把握することが可能になる。
【００５４】
（実施形態３）
本発明の実施形態２を図６〜図９に基づいて説明する。本実施形態では、実施形態１で説明した図１の電子タイマスイッチＳＷ１において、接続端子ｔ１との間に商用電源ＡＣと照明負荷ＬａとスイッチＳＷ３との直列回路が接続される接続端子ｔ４を設け、接続端子ｔ１，ｔ４間の電圧或いは電流から照明負荷Ｌａのオン／オフ状態を検出する負荷検出回路部１７を設けてあり、負荷検出回路部１７の検出結果に応じて制御回路部１３が他の負荷（照明負荷Ｌａ）に連動して換気扇Ｆ１のオン／オフを制御している。尚、負荷検出回路部１７以外の電子タイマスイッチＳＷ１の構成は図１に示す電子タイマスイッチＳＷ１と同様であるので、同一の構成要素には同一の符号を付して、その説明は省略する。
【００５５】
また図７（ｂ）は本実施形態の電子タイマスイッチＳＷ１の要部の回路図であり、制御回路部１３には、連動モードを設定するための連動設定スイッチＳＷ４からの設定入力と、換気扇の遅延動作を設定する遅延動作設定スイッチＳＷ５からの設定入力とが与えられ、各設定スイッチＳＷ４，ＳＷ５からの設定入力に応じて制御モードが決定される。ここに、連動設定スイッチＳＷ４により連動設定手段が構成される。
【００５６】
また図７（ａ）は本実施形態の電子タイマスイッチＳＷ１と、照明負荷Ｌａをオン／オフするためのスイッチＳＷ３とを造営面に施工した状態を示しており、電子タイマスイッチＳＷ１の器体（図示せず）の前面には操作ハンドル４０が回動自在に取着されている。操作ハンドル４０は左右方向の片側（左側）が回動自在に枢支されており、他端側を押操作して操作ハンドル４０を回動させることによって、他端側の裏面で押釦スイッチ１４の押操作が行えるようになっている。また操作ハンドル４０には、連動設定スイッチＳＷ４のスライド摘み４１と、遅延動作設定スイッチＳＷ５のスライド摘み４２と、動作保持時間を設定するための回転摘み４３とをそれぞれ露出させるための窓孔が貫設されておりおり、操作ハンドル４０の前面側に露出したスライド摘み４１，４２や回転摘み４３の操作が行えるようになっている。
【００５７】
ここに、連動設定スイッチＳＷ４は３位置切替のスライドスイッチからなり、スライド摘み４１の切替位置によって連動モードが、照明負荷Ｌａのオン／オフに換気扇Ｆ１のオン／オフを連動させない非連動モード、照明負荷Ｌａの点灯に連動して換気扇Ｆ１を停止させる入室中停止モード、又は照明負荷Ｌａの点灯に連動して換気扇Ｆ１を動作させる入室中動作モードの何れかに切り替え設定される。つまり本実施形態では連動モードとして、照明負荷Ｌａの点灯中、すなわち入室中に換気扇Ｆ１を停止させる入室中停止モードと、入室中に換気扇Ｆ１を動作させる入室中動作モードの２つのモードが用意されている。
【００５８】
また遅延動作設定スイッチＳＷ５は２位置切替のスライドスイッチからなり、スライド摘み４２の切替位置によって制御回路部１３による換気扇Ｆ１の停止制御モードが、押釦スイッチ１４のオフ操作時に換気扇Ｆ１を即停止させる一時停止モード、又は、オフ操作時から動作保持時間又は遅延時間が経過した時点で換気扇Ｆ１を停止させる遅れ停止モードの何れかに切り替え設定される。
【００５９】
本実施形態の電子タイマスイッチＳＷ１は以上のような構成を有しており、その動作について図８及び図９を参照して以下に説明する。
【００６０】
先ず遅延動作設定スイッチＳＷ５のスライド摘み４２を操作して、遅延停止動作を行う遅れ停止モードに設定した場合の動作について図８（ａ）〜（ｃ）を参照して説明する。なお図８（ａ）は非連動モードに設定されている場合、同図（ｂ）は入室中停止モードに設定されている場合、同図（ｃ）は入室中動作モードに設定されている場合の動作を示している。
【００６１】
連動設定スイッチＳＷ４のスライド摘み４１を非連動モードの切替位置に切り替えた場合、制御回路部１３は非連動モードで動作し、照明負荷Ｌａの点灯、消灯と無関係に押釦スイッチ１４又は外部スイッチＳＷ２の押操作に従って換気扇Ｆ１のオン／オフを制御する（図８（ａ）参照）。すなわち、換気扇Ｆ１が停止中の時刻ｔ３１（ｔ３４）で押釦スイッチ１４又は外部スイッチＳＷ２が操作されると、制御回路部１３は押釦スイッチ１４又は開閉検出回路部１５からの入力信号に基づいて駆動回路部１１に駆動信号を出力してトライアックＱ１，Ｑ２を導通させ、換気扇Ｆ１を動作させる。その後、時刻ｔ３２（ｔ３５）において押釦スイッチ３４又は外部スイッチＳＷ２が操作されると、制御回路部１３は、押釦スイッチ３４又は開閉検出回路部１５からの入力信号に基づいて遅延停止動作を開始し、所定の動作保持時間が経過するまでの間は駆動回路部１１によりトライアックＱ１，Ｑ２を導通させるとともに、動作保持時間が経過した時刻ｔ３３（ｔ３６）においてトライアックＱ１，Ｑ２を開極させて、換気扇Ｆ１を停止させる。なお時刻ｔ３４〜ｔ３５の期間中は照明負荷Ｌａが点灯しているが、制御回路部１３は非連動モードで動作しているので、照明負荷Ｌａの点灯／消灯に関係なく、換気扇Ｆ１のオン／オフを制御する。
【００６２】
また連動設定スイッチＳＷ４のスライド摘み４１を入室中停止モードの切替位置に切り替えた場合、制御回路部１３は入室中停止モードで動作し、照明負荷Ｌａの点灯中は換気扇Ｆ１を強制的に停止させる（図８（ｂ）参照）。照明負荷Ｌａが消灯している期間の動作、例えば時刻ｔ４０〜ｔ４２の動作は非連動モードの動作と同様であるので、その説明は省略する。一方、照明負荷Ｌａが点灯している期間（時刻ｔ３７〜ｔ３８、時刻ｔ４３〜ｔ４６、時刻ｔ４８〜ｔ４９、時刻ｔ５０〜ｔ５１）では、負荷検出回路部１７が照明負荷Ｌａの点灯状態を検出して検出信号を制御回路部１３に出力しており、制御回路部１３は押釦スイッチ１４や外部スイッチＳＷ２からの入力信号に関係なく換気扇Ｆ１を強制的に停止させる。そして、時刻ｔ３８，ｔ４９，ｔ５１において負荷検出回路部１７が照明負荷Ｌａの消灯動作を検出すると、制御回路部１３は負荷検出回路部１７からの検出信号に基づいて遅延停止動作を開始し、駆動回路部１１によりトライアックＱ１，Ｑ２を導通させて換気扇Ｆ１を動作させるとともに、動作保持時間が経過した時刻ｔ３９，ｔ５０，ｔ５２において駆動回路部１１によりトライアックＱ１，Ｑ２を開極させて、換気扇Ｆ１を停止させる。なお照明負荷Ｌａが点灯している時刻ｔ４３〜ｔ４６において、押釦スイッチ１４又は外部スイッチＳＷ２を用いて換気扇Ｆ１のオン／オフ操作が行われた場合は、照明負荷Ｌａが消灯した時刻ｔ４６から制御回路部１３が遅延停止動作を開始して、駆動回路部１１によりトライアックＱ１，Ｑ２を導通させ、換気扇Ｆ１を動作させるとともに、最後に押釦スイッチ１４又は外部スイッチＳＷ２が操作された時刻ｔ４５から動作保持時間が経過した時刻ｔ４７において、駆動回路部１１によりトライアックＱ１，Ｑ２を開極させて換気扇Ｆ１を停止させる。
【００６３】
さらに連動設定スイッチＳＷ４のスライド摘み４１を入室中動作モードの切替位置に切り替えた場合、制御回路部１３は入室中停止モードで動作し、照明負荷Ｌａの点灯中は換気扇Ｆ１を強制的に動作させる（図８（ｃ）参照）。照明負荷Ｌａが点灯している期間以外の動作は入室中停止モードと同様であるので、その説明は省略する。一方、照明負荷Ｌａが点灯している期間（時刻ｔ３７〜ｔ３８、時刻ｔ４３〜ｔ４６、時刻ｔ４８〜ｔ４９、時刻ｔ５０〜ｔ５１）では、負荷検出回路部１７が照明負荷Ｌａの点灯状態を検出して検出信号を制御回路部１３に出力しており、制御回路部１３は押釦スイッチ１４や外部スイッチＳＷ２からの入力信号に関係なく換気扇Ｆ１を強制的に動作させる。
【００６４】
次に遅延動作設定スイッチＳＷ５のスライド摘み４２を操作して、遅延停止動作を行わない一時動作モードに設定した場合の動作について図９（ａ）〜（ｃ）を参照して説明する。なお図９（ａ）は非連動モードに設定されている場合、同図（ｂ）は入室中停止モードに設定されている場合、同図（ｃ）は入室中動作モードに設定されている場合の動作を示している。
【００６５】
連動設定スイッチＳＷ４のスライド摘み４１を非連動モードの切替位置に切り替えた場合、制御回路部１３は非連動モードで動作し、照明負荷Ｌａの点灯、消灯と無関係に押釦スイッチ１４又は外部スイッチＳＷ２の押操作に従って換気扇Ｆ１のオン／オフを制御する（図９（ａ）参照）。すなわち、換気扇Ｆ１が停止中の時刻ｔ６１（ｔ６３）で押釦スイッチ１４又は外部スイッチＳＷ２が操作されると、制御回路部１３は押釦スイッチ１４又は開閉検出回路部１５からの入力信号に基づいて駆動回路部１１に制御信号を出力してトライアックＱ１，Ｑ２を導通させ、換気扇Ｆ１を動作させる。その後、時刻ｔ６２（ｔ６４）において押釦スイッチ１４又は外部スイッチＳＷ２が操作されると、制御回路部１３は、押釦スイッチ１４又は開閉検出回路部１５からの入力信号に基づいて駆動回路部１１によりトライアックＱ１，Ｑ２を開極させて、換気扇Ｆ１を即停止させる。なお時刻ｔ６３〜ｔ６４の期間中は照明負荷Ｌａが点灯しているが、制御回路部１３は非連動モードで動作しているので、照明負荷Ｌａの点灯／消灯に関係なく、換気扇Ｆ１のオン／オフを制御する。
【００６６】
また連動設定スイッチＳＷ４のスライド摘み４１を入室中停止モードの切替位置に切り替えた場合、制御回路部１３は入室中停止モードで動作し、照明負荷Ｌａの点灯中は換気扇Ｆ１を強制的に停止させる（図９（ｂ）参照）。照明負荷Ｌａが消灯している期間の動作、例えば時刻ｔ６８〜ｔ６９の動作は、図９（ａ）に示した非連動モードの動作と同様であるので、その説明は省略する。一方、照明負荷Ｌａが点灯している期間（時刻ｔ６５〜ｔ６６、時刻ｔ７０〜ｔ７３、時刻ｔ７５〜ｔ７６、時刻ｔ７７〜ｔ７８）では、負荷検出回路部１７が照明負荷Ｌａの点灯状態を検出して検出信号を制御回路部１３に出力しており、制御回路部１３は押釦スイッチ１４や外部スイッチＳＷ２からの入力信号に関係なく換気扇Ｆ１を強制的に停止させる。そして、時刻ｔ６６，ｔ７７，ｔ７８において負荷検出回路部１７が照明負荷Ｌａの消灯動作を検出すると、制御回路部１３は負荷検出回路部１７からの検出信号に基づいて遅延停止動作を開始し、駆動回路部１１によりトライアックＱ１，Ｑ２を導通させて、換気扇Ｆ１を動作させるとともに、動作保持時間が経過した時刻ｔ６７，ｔ７９において駆動回路部１１によりトライアックＱ１，Ｑ２を開極させて、換気扇Ｆ１を停止させる。尚、遅延停止動作で換気扇Ｆ１を動作させている時刻ｔ７３において、押釦スイッチ１４又は外部スイッチＳＷを用いて換気扇Ｆ１のオフ操作が行われた場合は、制御回路部１３が駆動回路部１１によりトライアックＱ１，Ｑ２を開極させて、換気扇Ｆ１を即座に停止させる。また、遅延停止動作で換気扇Ｆ１を動作させている時刻ｔ７７において照明負荷Ｌａが点灯すると、制御回路部１３は駆動回路部１１によりトライアックＱ１，Ｑ２を強制的に開極させて、換気扇Ｆ１を即座に停止させる。
【００６７】
さらに連動設定スイッチＳＷ４のスライド摘み４１を入室中動作モードの切替位置に切り替えた場合、制御回路部１３は入室中動作モードで動作し、照明負荷Ｌａの点灯中は換気扇Ｆ１を強制的に動作させる（図９（ｃ）参照）。照明負荷Ｌａが点灯している期間以外の動作は入室中停止モードと同様であるので、その説明は省略する。一方、照明負荷Ｌａが点灯している期間（時刻ｔ６５〜ｔ６６、時刻ｔ７０〜ｔ７３、時刻ｔ７５〜ｔ７６、時刻ｔ７７〜ｔ７８）では、負荷検出回路部１７が照明負荷Ｌａの点灯状態を検出して検出信号を制御回路部１３に出力しており、制御回路部１３は押釦スイッチ１４や外部スイッチＳＷ２からの入力信号に関係なく換気扇Ｆ１を強制的に動作させる。
【００６８】
このように本実施形態では制御回路部１３による連動制御の制御モードを設定するために連動設定スイッチＳＷ４及び遅延動作設定スイッチＳＷ５を設けてあり、両設定スイッチＳＷ４，ＳＷ５を用いて、使用用途や使用環境に応じて使い勝手の良い制御モードで動作させることができる。
【００６９】
なお、本発明の精神と範囲に反することなしに、広範に異なる実施形態を構成することができることは明白なので、この発明は、特定の実施形態に制約されるものではない。
【図面の簡単な説明】
【００７０】
【図１】実施形態１の電子タイマスイッチを用いた換気扇の制御システムの回路図である。
【図２】（ａ）（ｂ）は電子タイマスイッチの他の構成の回路図である。
【図３】同上の動作を説明するタイムチャートである。
【図４】（ａ）〜（ｃ）は同上の他の動作を説明するタイムチャートである。
【図５】実施形態２の電子タイマスイッチを用いた換気扇の制御システムの回路図である。
【図６】実施形態３の電子タイマスイッチを用いた換気扇の制御システムの回路図である。
【図７】同上を示し、（ａ）は施工状態を示す正面図、（ｂ）は要部の回路図である。
【図８】（ａ）〜（ｃ）は同上の動作を説明するタイムチャートである。
【図９】（ａ）〜（ｃ）は同上の別の動作を説明するタイムチャートである。
【図１０】（ａ）は換気扇の制御回路部の回路図、（ｂ）は従来の電子タイマスイッチを用いた換気扇の制御回路部の回路図である。
【符号の説明】
【００７１】
ＳＷ１  電子タイマスイッチ
ＳＷ２  外部スイッチ
ＡＣ  商用電源
Ｆ１  換気扇
Ｑ１，Ｑ２  トライアック
ｔ１〜ｔ３  接続端子
１１  駆動回路部
１３  制御回路部
１４  押釦スイッチ
１５  開閉検出回路部
２１  接点
【図１】
2006304223.tif 000003
【図２】
2006304223.tif 000004
【図３】
2006304223.tif 000005
【図４】
2006304223.tif 000006
【図５】
2006304223.tif 000007
【図６】
2006304223.tif 000008
【図７】
2006304223.tif 000009
【図８】
2006304223.tif 000010
【図９】
2006304223.tif 000011
【図１０】
2006304223.tif 000012